(57)【要約】  無線基地局装置の消費電力を低減することが可能な移動通信システムを提供することができる本発明にかかる移動通信システムは、移動端末（４）と通信を行う無線基地局装置（１）と、移動端末（４）の位置情報を取得する位置情報管理装置（３）と、位置情報管理装置（３）が取得した移動端末（４）の位置情報の変化に基づき無線基地局装置（１）が電波を発射しないように運用状態を変更する処理装置（２）と、を有する。処理装置（２）は、例えば移動端末（４）が無線基地局装置（１）のサービスエリア圏内からサービスエリア圏外へ移動したときに、無線基地局装置（１）が電波を発射しないように運用状態を変更する。
2010089972.tif 000002
【特許請求の範囲】
【請求項１】
移動端末と通信を行う無線基地局装置と、
前記移動端末の位置情報を取得する位置情報管理装置と、
前記位置情報管理装置が取得した前記移動端末の位置情報の変化に基づき、前記無線基地局装置が電波を発射しないように運用状態を変更する処理装置と、
を有する移動通信システム。
【請求項２】
前記処理装置は、前記無線基地局装置の電源をオフにすることで前記無線基地局装置の運用状態を変更する、請求項１に記載の移動通信システム。
【請求項３】
前記処理装置は、前記移動端末が前記無線基地局装置のサービスエリア圏内からサービスエリア圏外へ移動したときに、前記無線基地局装置が電波を発射しないように運用状態を変更する、請求項１に記載の移動通信システム。
【請求項４】
前記位置情報管理装置はＶＬＲである請求項１乃至３のいずれか一項に記載の移動通信システム。
【請求項５】
前記位置情報管理装置はＧＰＳから得られた前記移動端末の測位情報を格納する位置管理サーバーである請求項１乃至３のいずれか一項に記載の移動通信システム。
【請求項６】
前記無線基地局装置は自律的に周期ページングを実行することで前記移動端末の在圏の有無を確認し、当該移動端末の位置情報を取得した場合は当該位置情報を前記位置情報管理装置に保持する、請求項１乃至３のいずれか一項に記載の移動通信システム。
【請求項７】
前記処理装置及び前記位置情報管理装置は前記無線基地局装置の内部に設けられている、請求項１乃至６のいずれか一項に記載の移動通信システム。
【請求項８】
移動端末の位置情報を取得する位置情報取得手段と、
前記移動端末の位置情報の変化に基づき、無線基地局装置が電波を発射しないように運用状態を変更する運用状態変更手段と、を有する無線基地局装置。
【請求項９】
移動端末の位置情報を取得する位置情報取得手段と、
前記移動端末の位置情報の変化に基づき、無線基地局装置が電波を発射しないように運用状態を変更する運用状態変更手段と、を有する処理装置。
【請求項１０】
無線基地局装置と通信を行う移動端末の位置情報を取得し、
前記移動端末の位置情報の変化に基づき当該移動端末と通信を行う無線基地局装置が電波を発射しないように運用状態を変更する、移動通信システムの制御方法。
【請求項１１】
前記無線基地局装置の電源をオフにすることで前記無線基地局装置の運用状態を変更する、請求項１０に記載の移動通信システムの制御方法。
【発明の詳細な説明】
【技術分野】
【０００１】
本発明は移動通信システム及びその制御方法に関し、特に無線基地局の省電力化を実現するための移動通信システム及びその制御方法に関する。
【背景技術】
【０００２】
移動通信システムは、無線通信ネットワーク（ＲＡＮ：Radio Access Network）とコアネットワーク（ＣＮ：Core Network）を有する。一般に、ＲＡＮは移動端末と直接通信する無線基地局装置と、無線基地局装置を制御する制御装置から構成されている。また、ＣＮは音声通信、パケット通信の交換機としての役割を果たしている。【０００３】
移動通信システムにおける無線基地局装置は、運用前に各種の試験が実施され、種々のパラメータが設定されることで運用されている。これにより、無線基地局装置は移動端末に対して通信可能な環境であるサービスエリアを提供することが可能となっている。【０００４】
一方、近年では無線基地局装置の消費電力を削減する技術が注目を集めている。これは、一般的な無線基地局装置をはじめ、一般消費者や法人が宅内や事業所内に設置する無線基地局装置においても、広く通信コストの削減が求められていることによる。【０００５】
特許文献１には無線基地局装置の省電力化に関する技術が開示されている。図７は特許文献１にかかる無線基地局装置を説明するための図である。図７において、無線基地局装置１００は、ネットワーク１６０との間で信号１７０を送受信する制御部１２０、この制御部１２０と送受信信号１７１＿１〜１７１＿５をそれぞれ送受信する信号処理部１３０＿１〜１３０＿５を有する。また、これらの信号処理部との間で送受信した送受信信号１７２＿１〜１７２＿５をアンテナ１５０を経由して移動端末と送受信する送受信部１４０を有する。制御部１２０は、それぞれ、制御信号１８１＿１〜１８１＿５を送受信することにより信号処理部１３０＿１〜１３０＿５を制御し、制御信号１８２で送受信部１４０を制御する。また、制御部１２０は端末数推定部１１０と接続されており、信号１８０を用いて端末数の推定値を取得している。【０００６】
そして、図７に示す無線基地局装置では、端末数推定部１１０がサービスエリアに在圏する移動端末数を移動端末の位置登録数、移動端末からのアクセス要求メッセージ数、又は移動端末への着信通知メッセージ数に基づき推定している。そして、制御部１２０が移動端末推定数に基づき不要な信号処理部１３０＿１〜１３０＿５の電源をオフにしている。【０００７】
また、特許文献２にはＧＰＳ（Global Positioning System）を用いた移動無線空中線制御システムに関する技術が開示されている。図８に特許文献２にかかる移動無線空中線制御システムを示す。図８において、基地局２０９は、基地局装置２０５と空中線方向・送信出力制御装置２０６と、基地局受信用空中線２０８と、基地局送信用空中線２０７を有する。また、移動局２０４は、移動局装置２０１と、位置検出装置２０２と、移動局用空中線２０３とを有する。【０００８】
特許文献２にかかる移動無線空中線制御システムでは、基地局装置２０５で受信した位置情報を基に移動局２０４がどの位置に所在しているかを算出する。そして、基地局装置２０５が移動局２０４の位置を考慮して最適な送信出力で、最適な送信方向へ向けて指向性のある電波を送信する。
【先行技術文献】
【特許文献】
【０００９】
【特許文献１】特開２００３−３４７９８５号公報
【特許文献２】特開２００１−１０２９９５号公報
【発明の概要】
【発明が解決しようとする課題】
【００１０】
しかしながら、特許文献１に開示されている技術では、在圏している移動端末がない場合においても信号処理部１３０＿１〜１３０＿５の電源が全てオフになることがなく、常に電波が発信されている。更に、信号処理部以外の部分も稼働し続けているため在圏している移動端末がない場合でも電力が消費されることになる。【００１１】
また、特許文献２に開示されている技術でも、在圏している端末がない場合においても無線基地局装置は電波を発射し続けるため電力が消費されることになる。【００１２】
本発明の目的は、無線基地局装置の消費電力を低減することが可能な移動通信システム及びその制御方法、無線基地局装置を提供することである。
【課題を解決するための手段】
【００１３】
本発明にかかる移動通信システムは、移動端末と通信を行う無線基地局装置と、前記移動端末の位置情報を取得する位置情報管理装置と、前記位置情報管理装置が取得した前記移動端末の位置情報の変化に基づき前記無線基地局装置が電波を発射しないように運用状態を変更する処理装置と、を有する。【００１４】
本発明にかかる無線基地局装置は、移動端末の位置情報を取得する位置情報取得手段と、前記移動端末の位置情報の変化に基づき、無線基地局装置が電波を発射しないように運用状態を変更する運用状態変更手段と、を有する。【００１５】
本発明にかかる処理装置は、移動端末の位置情報を取得する位置情報取得手段と、前記移動端末の位置情報の変化に基づき、無線基地局装置が電波を発射しないように運用状態を変更する運用状態変更手段と、を有する。【００１６】
本発明にかかる移動通信システムの制御方法は、無線基地局と通信を行う移動端末の位置情報を取得し、前記移動端末の位置情報の変化に基づき当該移動端末と通信を行う無線基地局装置が電波を発射しないように運用状態を変更する。
【発明の効果】
【００１７】
本発明により、無線基地局装置の消費電力を低減することが可能な移動通信システム及びその制御方法、無線基地局装置を提供することができる。
【図面の簡単な説明】
【００１８】
【図１】実施の形態１にかかる移動通信システムを説明するための図である。
【図２】実施の形態２にかかる移動通信システムを説明するための図である。
【図３】実施の形態３にかかる移動通信システムを説明するための図である。
【図４】実施の形態４にかかる移動通信システムを説明するための図である。
【図５】実施の形態５にかかる移動通信システムを説明するための図である。
【図６Ａ】その他の実施の形態にかかる無線基地局装置を説明するための図である。
【図６Ｂ】その他の実施の形態にかかる処理装置を説明するための図である。
【図７】背景技術にかかる移動通信システムを説明するための図である。
【図８】背景技術にかかる移動無線空中線制御システムを説明するための図である。
【発明を実施するための形態】
【００１９】
実施の形態１．
以下、図面を参照して本発明の実施の形態１について説明する。図１は本実施の形態にかかる移動通信システムを説明するための図である。本実施の形態にかかる移動通信システムは、移動端末４と通信を行う無線基地局装置１と、移動端末４の位置情報を取得する位置情報管理装置３と、位置情報管理装置３が取得した移動端末４の位置情報の変化に基づき無線基地局装置１の運用状態を変更する処理装置２と、を有する。図１では、処理装置２は独立しているが、無線基地局装置１に含まれる構成でもよく、また、位置情報管理装置３に含まれる構成でもよい。
【００２０】
無線基地局装置１は、移動端末４と通信を行う装置である。無線基地局装置１は、移動端末４と無線通信を行う機能や上位装置の指示を受けて自身の設定を変更可能な機能を備えている。
【００２１】
処理装置２は、無線基地局装置１の運用状態を切り替えるための情報を位置情報管理装置３から取得する。処理装置２は複数の無線基地局装置と接続されており、移動端末４の位置情報の変化に応じてそれぞれの無線基地局装置１の運用状態を設定する。この機能を実現するために、処理装置２は、無線基地局装置１や位置情報管理装置３と相互に情報をやり取りし、必要な情報を保持する機能を有する。
【００２２】
位置情報管理装置３は、移動端末４の位置を特定可能な情報を保有する装置である。位置情報管理装置３は、移動端末４から定期的に、あるいは移動端末４から位置登録要求／位置更新要求を受けた場合に、位置情報に関するデータを受け取る。そして、位置情報管理装置３は、当該データを処理装置２に渡すことが可能な形式で保存する機能を備えている。
【００２３】
次に、本実施の形態にかかる移動通信システムの動作について説明する。移動端末４の位置情報が変化すると、移動端末４から位置情報管理装置３に対して移動端末４の位置情報が変化したことが通知される。これを受けて位置情報管理装置３は保存されている位置情報を最新の情報に更新する。
【００２４】
処理装置２は位置情報管理装置３に対してデータ要求を行い、移動端末４の位置情報を受け取る。そして、処理装置２はこの位置情報に基づいて無線基地局装置１の運用状態を設定する。ここで、運用状態の設定とは、無線基地局１の電源をオフにすること、電源をオンにすること、電波を発射しない状態にすること（電源がオンの場合、電源がオフの場合を含む）、発射する電波の量、種類、周期等を調節すること、などである。
【００２５】
移動端末４が無線基地局装置１のサービスエリア５に在圏している場合、位置情報管理装置３は移動端末４の位置情報として、移動端末４が無線基地局装置１のサービスエリア５に在圏しているという位置情報を取得する。そして、処理装置２は位置情報管理装置３に対してデータ要求することで、移動端末４が無線基地局装置１のサービスエリア５内に存在するという位置情報を取得する。この場合、処理装置２は移動端末４が無線基地局装置１と通信可能な状態とするために、無線基地局装置１から電波が発射される状態を維持する。
【００２６】
一方、移動端末４が無線基地局装置１のサービスエリア５に在圏していない場合、位置情報管理装置３は移動端末４の位置情報として、移動端末４が無線基地局装置１のサービスエリア５に在圏していないという位置情報を取得する。そして、処理装置２は位置情報管理装置３に対してデータ要求することで、移動端末４が無線基地局装置１のサービスエリア５の外に存在するという位置情報を取得する。この場合、処理装置２は移動端末４が無線基地局装置１と通信する必要がなくなるため、無線基地局装置１から発射される電波を停止する。
【００２７】
また、移動端末４が無線基地局装置１のサービスエリア５の圏外に存在していた状態から、サービスエリア５の圏内に存在するようになった場合について説明する。この場合は、位置情報管理装置３は移動端末４の位置情報として、移動端末４が無線基地局装置１のサービスエリア５に在圏しているという位置情報を取得する。そして、処理装置２は位置情報管理装置３に対してデータ要求することで、移動端末４が無線基地局装置１のサービスエリア５内に存在するという位置情報を取得する。この場合、処理装置２は移動端末４が無線基地局装置１と通信可能な状態とするために、無線基地局装置１から電波が発射されるようにする。例えば、ウェイクオンラン（Wake on LAN）のような手法を用いて無線基地局装置の電源をオンにしてもよい。
【００２８】
このように、移動端末４が無線基地局装置１のサービスエリア５に在圏しなくなった場合に、無線基地局装置１の稼働状態を変更、つまり、無線基地局装置１から電波が発射されない状態とすることで、移動通信システムの省電力化を実現することができる。また、無線基地局装置１の配下に移動端末４が存在しない場合に無駄な電波を発射することがなくなり、近隣との干渉を低減することが可能となる。
【００２９】
次に本実施の形態にかかる移動通信システムの制御方法について説明する。本実施の形態にかかる移動通信システムの制御方法は、無線基地局装置と通信を行う移動端末の位置情報を取得するステップと、移動端末の位置情報の変化に基づき移動端末と通信を行う無線基地局装置が電波を発射しないように運用状態を変更するステップと、を有する。
【００３０】
ここで、無線基地局装置の電源をオフにすることで無線基地局装置の運用状態を変更してもよい。また、移動端末が無線基地局装置のサービスエリア圏内からサービスエリア圏外へ移動したときに、無線基地局装置が電波を発射しないように運用状態を変更してもよい。
【００３１】
本実施の形態にかかる移動通信システムの制御方法により、無線基地局装置の消費電力を低減することが可能な移動通信システムの制御方法を提供することができる。
【００３２】
実施の形態２．
次に、本発明の実施の形態２について、図２を用いて説明する。なお、図１に示す実施の形態１と同様の構成部分については同一の符号を付している。実施の形態２では、実施の形態１の位置情報管理装置３の代わりにＶＬＲ（Visitor Location Register）６を用いている。
【００３３】
すなわち、本実施の形態にかかる移動通信システムは、無線基地局装置１と、処理装置２と、ＶＬＲ６と、を有する。図２では、処理装置２は独立しているが、無線基地局装置１に含まれる構成でもよい。
【００３４】
無線基地局装置１は、移動端末４と通信を行う装置である。無線基地局装置１は、移動端末４と無線通信を行う機能や上位装置の指示を受けて自身の設定を変更可能な機能を備えている。
【００３５】
ＶＬＲはＣＮ（Core Network）に存在する装置である。移動端末４が移動して複数のセルから構成されるＬＡ（Location Area）７領域の境界を越えて異なるＬＡ７に入ると、移動端末４は位置登録要求／位置更新要求を行う。そして、在圏網のＶＬＲ６は移動端末４の位置情報を更新する。
【００３６】
処理装置２は、無線基地局装置１の運用状態を切り替えるための情報をＶＬＲ６から取得する。処理装置２は複数の無線基地局装置と接続されており、移動端末４の位置情報の変化に応じてそれぞれの無線基地局装置１の運用状態を設定する。この機能を実現するために、処理装置２は、無線基地局装置１やＶＬＲ６と相互に情報をやり取りし、必要な情報を保持する機能を有する。
【００３７】
次に、本実施の形態にかかる移動通信システムの動作について説明する。移動端末４の位置情報が変化すると、移動端末４からＶＬＲ６に対して移動端末４の位置情報が変化したことが通知される。これを受けてＶＬＲ６は保存されている位置情報を最新の情報に更新する。
【００３８】
処理装置２はＶＬＲ６に対してデータ要求を行い、移動端末４の位置情報を受け取る。そして、処理装置２はこの位置情報に基づいて無線基地局装置１の運用状態を設定する。ここで、運用状態の設定とは、無線基地局１の電源をオフにすること、電源をオンにすること、電波を発射しない状態にすること（電源がオンの場合、電源がオフの場合を含む）、発射する電波の量、種類、周期等を調節すること、などである。
【００３９】
移動端末４がＬＡ７に在圏している場合、ＶＬＲ６は移動端末４の位置情報として、移動端末４がＬＡ７に在圏しているという位置情報を取得する。そして、処理装置２はＶＬＲ６に対してデータ要求することで、移動端末４がＬＡ７内に存在するという位置情報を取得する。この場合、処理装置２は無線基地局装置１から電波が発射される状態を維持する。
【００４０】
一方、移動端末４がＬＡ７に在圏していない場合、ＶＬＲ６は移動端末４の位置情報として、移動端末４がＬＡ７に在圏していないという位置情報を取得する。そして、処理装置２はＶＬＲ６に対してデータ要求することで、移動端末４がＬＡ７の外に存在するという位置情報を取得する。この場合、処理装置２は、無線基地局装置１から発射される電波を停止する。
【００４１】
また、移動端末４がＬＡ７の圏外に存在していた状態から、ＬＡ７の圏内に存在するようになった場合、ＶＬＲ６は移動端末４の位置情報として、移動端末４がＬＡ７に在圏しているという位置情報を取得する。そして、処理装置２はＶＬＲ６に対してデータ要求することで、移動端末４がＬＡ７内に存在するという位置情報を取得する。この場合、処理装置２は、無線基地局装置１から電波が発射されるようにする。
【００４２】
このように、移動端末４がＬＡ７に在圏しなくなった場合に、無線基地局装置１の稼働状態を変更、つまり、無線基地局装置１から電波が発射されない状態とすることで、移動通信システムの省電力化を実現することができる。また、無線基地局装置１の配下に移動端末４が存在しない場合に無駄な電波を発射することがなくなり、近隣との干渉を低減することが可能となる。
【００４３】
実施の形態３．
次に、本発明の実施の形態３について、図３を用いて説明する。なお、図１に示す実施の形態１と同様の構成部分については同一の符号を付している。実施の形態３では、実施の形態１の位置情報管理装置３の代わりに位置管理サーバー８を用いている。
【００４４】
すなわち、本実施の形態にかかる移動通信システムは、無線基地局装置１と、処理装置２と、位置管理サーバー８と、を有する。図３では、処理装置２は独立しているが、無線基地局装置１に含まれる構成でもよい。
【００４５】
無線基地局装置１は、移動端末４と通信を行う装置である。無線基地局装置１は、移動端末４と無線通信を行う機能や上位装置の指示を受けて自身の設定を変更可能な機能を備えている。
【００４６】
位置管理サーバー８は、ＧＰＳから得られる移動端末４の測位情報を格納することが可能な装置である。位置管理サーバー８は、移動端末４から定期的に、あるいは移動端末４から位置登録要求／位置更新要求を受けた場合に、ＧＰＳから得られる移動端末４の測位情報を更新する。
【００４７】
処理装置２は、無線基地局装置１の運用状態を切り替えるための情報を位置管理サーバー８から取得する。処理装置２は複数の無線基地局装置と接続されており、移動端末４の位置情報の変化に応じてそれぞれの無線基地局装置１の運用状態を設定する。この機能を実現するために、処理装置２は、無線基地局装置１や位置管理サーバー８と相互に情報をやり取りし、必要な情報を保持する機能を有する。
【００４８】
次に、本実施の形態にかかる移動通信システムの動作について説明する。移動端末４の位置情報が変化すると、移動端末４から位置管理サーバー８に対して移動端末４の位置情報が変化したことが通知される。これを受けて位置管理サーバー８は保存されている位置情報を最新の情報に更新する。
【００４９】
処理装置２は位置管理サーバー８に対してデータ要求を行い、移動端末４の位置情報を受け取る。そして、処理装置２はこの位置情報に基づいて無線基地局装置１の運用状態を設定する。ここで、運用状態の設定とは、無線基地局１の電源をオフにすること、電源をオンにすること、電波を発射しない状態にすること（電源がオンの場合、電源がオフの場合を含む）、発射する電波の量、種類、周期等を調節すること、などである。
【００５０】
移動端末４と無線基地局装置１の距離が無線基地局装置１のサービスエリア５の範囲内である場合、位置管理サーバー８は移動端末４の位置情報として、移動端末４が無線基地局装置１のサービスエリア５に在圏しているという位置情報を取得する。そして、処理装置２は位置管理サーバー８に対してデータ要求することで、移動端末４が無線基地局装置１のサービスエリア５内に存在するという位置情報を取得する。この場合、処理装置２は移動端末４が無線基地局装置１と通信可能な状態とするために、無線基地局装置１から電波が発射される状態を維持する。
【００５１】
一方、移動端末４と無線基地局装置１の距離が無線基地局装置１のサービスエリア５の範囲よりも離れている場合、位置管理サーバー８は移動端末４の位置情報として、移動端末４が無線基地局装置１のサービスエリア５に在圏していないという位置情報を取得する。そして、処理装置２は位置管理サーバー８に対してデータ要求することで、移動端末４が無線基地局装置１のサービスエリア５の外に存在するという位置情報を取得する。この場合、処理装置２は移動端末４が無線基地局装置１と通信する必要がなくなるため、無線基地局装置１から発射される電波を停止する。
【００５２】
また、移動端末４と無線基地局装置１の距離が無線基地局装置１のサービスエリア５の範囲よりも離れている状態から、サービスエリア５の範囲内になった場合、位置管理サーバー８は移動端末４の位置情報として、移動端末４が無線基地局装置１のサービスエリア５に在圏しているという位置情報を取得する。そして、処理装置２は位置管理サーバー８に対してデータ要求することで、移動端末４が無線基地局装置１のサービスエリア５内に存在するという位置情報を取得する。この場合、処理装置２は移動端末４が無線基地局装置１と通信可能な状態とするために、無線基地局装置１から電波が発射されるようにする。
【００５３】
このように、移動端末４がサービスエリア５に在圏しなくなった場合に、無線基地局装置１の稼働状態を変更、つまり、無線基地局装置１から電波が発射されない状態とすることで、移動通信システムの省電力化を実現することができる。また、無線基地局装置１の配下に移動端末４が存在しない場合に無駄な電波を発射することがなくなり、近隣との干渉を低減することが可能となる。
【００５４】
実施の形態４．
次に、本発明の実施の形態４について、図４を用いて説明する。なお、図１に示す実施の形態１と同様の構成部分については同一の符号を付している。実施の形態４では無線基地局装置１に周期ページングを行わせている点が、実施の形態１と異なる点である。
【００５５】
すなわち、本実施の形態にかかる移動通信システムは、無線基地局装置１と、処理装置２と、位置情報管理装置３と、を有する。図４では、処理装置２は独立しているが、無線基地局装置１に含まれる構成でもよく、また、位置情報管理装置３に含まれる構成でもよい。
【００５６】
無線基地局装置１は、移動端末４と通信を行う装置である。無線基地局装置１は、移動端末４と無線通信を行う機能や上位装置の指示を受けて自身の設定を変更可能な機能を備えている。
【００５７】
処理装置２は、無線基地局装置１の運用状態を切り替えるための情報を位置情報管理装置３から取得する。処理装置２は複数の無線基地局装置と接続されており、移動端末４の位置情報の変化に応じてそれぞれの無線基地局装置１の運用状態を設定する。この機能を実現するために、処理装置２は、無線基地局装置１や位置情報管理装置３と相互に情報をやり取りし、必要な情報を保持する機能を有する。
【００５８】
位置情報管理装置３は、移動端末４の位置を特定可能な情報を保有する装置である。本実施の形態では、無線基地局装置１は自律的に周期ページングを実行することで移動端末４の在圏の有無を確認し、移動端末４の位置情報を取得した場合は位置情報を位置情報管理装置３に保持する。
【００５９】
次に、本実施の形態にかかる移動通信システムの動作について説明する。移動端末４の位置情報が変化すると、移動端末４から位置情報管理装置３に対して移動端末４の位置情報が変化したことが通知される。これを受けて位置情報管理装置３は保存されている位置情報を最新の情報に更新する。
【００６０】
処理装置２は位置情報管理装置３に対してデータ要求を行い、移動端末４の位置情報を受け取る。そして、処理装置２はこの位置情報に基づいて無線基地局装置１の運用状態を設定する。ここで、運用状態の設定とは、無線基地局１の電源をオフにすること、電源をオンにすること、電波を発射しない状態にすること（電源がオンの場合、電源がオフの場合を含む）、発射する電波の量、種類、周期等を調節すること、などである。
【００６１】
移動端末４が無線基地局装置１のサービスエリア５に在圏している場合、すなわち、移動端末４が無線基地局装置１のページングに応答している場合、位置情報管理装置３は移動端末４の位置情報として、移動端末４が無線基地局装置１のサービスエリア５に在圏しているという位置情報を取得する。そして、処理装置２は位置情報管理装置３に対してデータ要求することで、移動端末４が無線基地局装置１のサービスエリア５内に存在するという位置情報を取得する。この場合、処理装置２は移動端末４が無線基地局装置１と通信可能な状態とするために、無線基地局装置１から電波が発射される状態を維持する。
【００６２】
一方、移動端末４が無線基地局装置１のサービスエリア５に在圏していない場合、すなわち、移動端末４が無線基地局１のページングに応答していない場合、位置情報管理装置３は移動端末４の位置情報として、移動端末４が無線基地局装置１のサービスエリア５に在圏していないという位置情報を取得する。そして、処理装置２は位置情報管理装置３に対してデータ要求することで、移動端末４が無線基地局装置１のサービスエリア５の外に存在するという位置情報を取得する。この場合、処理装置２は移動端末４が無線基地局装置１と通信する必要がなくなるため、無線基地局装置１から発射される電波を停止する。
【００６３】
尚、本実施の形態では、移動端末４が無線基地局装置１のページングに応答するか否かで移動端末４の位置を特定しているので、無線基地局装置１は移動端末４がサービスエリア５の圏外にある場合でも定期的に周期ページングを繰り返している。
【００６４】
また、移動端末４が無線基地局装置１のサービスエリア５の圏外に存在していた状態から、サービスエリア５の圏内に存在するようになった場合、すなわち、移動端末４がサービスエリア５に復帰し無線基地局装置１の周期ページングに応答するようになった場合、位置情報管理装置３は移動端末４の位置情報として、移動端末４が無線基地局装置１のサービスエリア５に在圏しているという位置情報を取得する。そして、処理装置２は位置情報管理装置３に対してデータ要求することで、移動端末４が無線基地局装置１のサービスエリア５内に存在するという位置情報を取得する。この場合、処理装置２は移動端末４が無線基地局装置１と通信可能な状態とするために、無線基地局装置１から電波が発射されるようにする。
【００６５】
このように、移動端末４が無線基地局装置１のサービスエリア５に在圏しなくなった場合に、無線基地局装置１の稼働状態を変更、つまり、無線基地局装置１から電波が発射されない状態とすることで、移動通信システムの省電力化を実現することができる。また、無線基地局装置１の配下に移動端末４が存在しない場合に無駄な電波を発射することがなくなり、近隣との干渉を低減することが可能となる。
【００６６】
また、本実施の形態では基地局装置１が周期ページングという手法を用いているので、移動端末による周期的な位置登録よりも短期間でサービスエリアへの在圏の有無を確認することが可能となる。
【００６７】
実施の形態５．
次に、本発明の実施の形態５について、図５を用いて説明する。なお、図４に示す実施の形態４と同様の構成部分については同一の符号を付している。実施の形態５では無線基地局装置１が処理装置２、位置情報管理装置３を有しており、この点が実施の形態４と異なる点である。
【００６８】
すなわち、本実施の形態にかかる移動通信システムは、無線基地局装置１と、処理装置２と、位置情報管理装置３と、を有する。そして、処理装置２及び位置情報管理装置３は無線基地局装置１の内部に設けられている。
【００６９】
その他の部分は、実施の形態４と同様であるので説明を省略する。本実施の形態にかかる発明でも、移動端末４が無線基地局装置１のサービスエリア５に在圏しなくなった場合に、無線基地局装置１の稼働状態を変更、つまり、無線基地局装置１から電波が発射されない状態とすることで、移動通信システムの省電力化を実現することができる。また、無線基地局装置１の配下に移動端末４が存在しない場合に無駄な電波を発射することがなくなり、近隣との干渉を低減することが可能となる。
【００７０】
また、本実施の形態でも基地局装置１が周期ページングという手法を用いているので、移動端末による周期的な位置登録よりも短期間でサービスエリアへの在圏の有無を確認することが可能となる。
【００７１】
その他の実施の形態．
次に、その他の実施の形態にかかる無線基地局装置と処理装置について説明する。本実施の形態にかかる無線基地局装置を図６Ａに示す。本実施の形態にかかる無線基地局装置１は、移動端末の位置情報を取得する位置情報取得手段９と、移動端末の位置情報の変化に基づき、無線基地局装置が電波を発射しないように運用状態を変更する運用状態変更手段１０と、を有する。ここで、位置情報取得手段９は、例えば図１に示す位置情報管理装置３などのような移動端末の位置情報を保持している装置から位置情報を取得する手段である。また、運用状態変更手段１０は、例えば無線基地局装置の電波の出力を制御する回路に対して命令を出力する手段である。なお、無線基地局装置１は位置情報取得手段９として、例えば、ＶＬＲ、位置管理サーバー等のような位置情報を取得する装置を備えていてもよい。
【００７２】
次に、本実施の形態にかかる処理装置を図６Ｂに示す。本実施の形態にかかる処理装置２は、移動端末の位置情報を取得する位置情報取得手段９と、移動端末の位置情報の変化に基づき、無線基地局装置が電波を発射しないように運用状態を変更する運用状態変更手段１０と、を有する。ここで、位置情報取得手段９は、例えば図１に示す位置情報管理装置３などのように移動端末の位置情報を保持している装置から位置情報を取得する手段である。また、運用状態変更手段１０は、例えば無線基地局装置の電波の出力を制御する回路に対して命令を出力する手段である。なお、処理装置２は位置情報取得手段９として、例えば、ＶＬＲ、位置管理サーバー等のような位置情報を取得する装置を備えていてもよい。
【００７３】
本実施の形態にかかる無線基地局装置、処理装置によっても、無線基地局装置の消費電力を低減することが可能となる。
【００７４】
なお、本発明は上記実施の形態に限られたものではなく、趣旨を逸脱しない範囲で適宜変更することが可能である。例えば、実施の形態２では、ＬＡの境界を越えたことを検知した処理装置２が無線基地局装置１の運用状態を変更している。しかし、ＬＡと同じく複数のセルから構成されるＲＡ（Routing Area）の境界を越えたことを処理装置２で検知し、無線基地局装置１の運用状態を変更するような構成としてもよい。
【００７５】
また、実施の形態２と実施の形態３を組み合わせることで、無線基地局装置１の運用状態を変更する構成としてもよい。
【００７６】
また、無線基地局装置１に相当する装置を介して外部ネットワークと接続している機器の電源をオン／オフするようなシステムも本発明に含めてもよい。これによると、例えば移動端末４の位置に応じて、家庭内の情報家電の運用状態を変更することができる。
【００７７】
上記実施の形態において、無線基地局装置の消費電力を削減するために、移動端末の位置情報を利用することについて説明した。しかし、本発明は上記実施の形態の構成にのみ限定されるものではない。例えば、無線基地局装置１の周囲の他の無線基地局装置の消費電力を削減することもできる。具体的には、移動端末４の位置情報が変化して無線基地局装置１の運用状態が変更されたときに、無線基地局装置１の近くにある他の無線基地局装置が保持する無線基地局装置１の情報（セルＩＤ、ＨＮＢ  ＩＤ（Home NodeB ID）、スクランブリングコード、ＰＣＩ（Physical Cell ID）など）を更新し、他の無線基地局装置が、その更新された情報を基に運用状態を変更する。この結果、無線基地局装置１の周囲の他の無線基地局装置の消費電力を削減することができる。
【００７８】
以上、本発明を上記実施形態に即して説明したが、上記実施形態の構成にのみ限定されるものではなく、本願特許請求の範囲の請求項の発明の範囲内で当業者であればなし得るであろう各種変形、修正、組み合わせを含むことは勿論である。
【００７９】
この出願は、２００９年２月９日に出願された日本出願特願２００９−０２７７２４を基礎とする優先権を主張し、その開示のすべてをここに取り込む。
【符号の説明】
【００８０】
１  無線基地局装置
２  処理装置
３  位置情報管理装置
４  移動端末
５  サービスエリア
６  ＶＬＲ
７  ＬＡ
８  位置管理サーバー
９  位置情報取得手段
１０  運用状態変更手段
１００  無線基地局装置
１１０  端末数推定部
１２０  制御部
１３０  信号処理部
１３０＿１〜１３０＿５  信号処理部
１４０  送受信部
１５０  アンテナ
１６０  ネットワーク
１７０  信号
１７１＿１〜１７１＿５  送受信信号
１７２＿１〜１７２＿５  送受信信号
１８０  制御信号
１８１＿１〜１８１_５  送受信信号
１８２  制御信号
２０１  移動局装置
２０２  位置検出装置
２０３  移動局用空中線
２０４  移動局
２０５  基地局装置
２０６  空中線方向・送信出力制御装置
２０７  基地局送信用空中線
２０８  基地局受信用空中線
２０９  基地局
【図１】
2010089972.tif 000003
【図２】
2010089972.tif 000004
【図３】
2010089972.tif 000005
【図４】
2010089972.tif 000006
【図５】
2010089972.tif 000007
【図６Ａ】
2010089972.tif 000008
【図６Ｂ】
2010089972.tif 000009
【図７】
2010089972.tif 000010
【図８】
2010089972.tif 000011
【手続補正書】
【提出日】平成23年6月15日(2011.6.15)
【手続補正１】
【補正対象書類名】特許請求の範囲
【補正対象項目名】全文
【補正方法】変更
【補正の内容】
【特許請求の範囲】
【請求項１】
移動端末と通信を行う無線基地局装置と、
前記移動端末の位置情報を取得する位置情報管理装置と、
前記位置情報管理装置が取得した前記移動端末の位置情報の変化に基づき、前記無線基地局装置が電波を発射しないように運用状態を変更する処理装置と、
を有する移動通信システム。
【請求項２】
前記処理装置は、前記無線基地局装置の電源をオフにすることで前記無線基地局装置の運用状態を変更する、請求項１に記載の移動通信システム。
【請求項３】
前記処理装置は、前記移動端末が前記無線基地局装置のサービスエリア圏内からサービスエリア圏外へ移動したときに、前記無線基地局装置が電波を発射しないように運用状態を変更する、請求項１に記載の移動通信システム。
【請求項４】
前記位置情報管理装置はＶＬＲである請求項１乃至３のいずれか一項に記載の移動通信システム。
【請求項５】
前記位置情報管理装置はＧＰＳから得られた前記移動端末の測位情報を格納する位置管理サーバーである請求項１乃至３のいずれか一項に記載の移動通信システム。
【請求項６】
前記無線基地局装置は自律的に周期ページングを実行することで前記移動端末の在圏の有無を確認し、当該移動端末の位置情報を取得した場合は当該位置情報を前記位置情報管理装置に保持する、請求項１乃至３のいずれか一項に記載の移動通信システム。
【請求項７】
前記処理装置及び前記位置情報管理装置は前記無線基地局装置の内部に設けられている、請求項１乃至６のいずれか一項に記載の移動通信システム。
【請求項８】
移動端末の位置情報を取得する位置情報取得手段と、
前記移動端末の位置情報の変化に基づき、無線基地局装置が電波を発射しないように運用状態を変更する運用状態変更手段と、を有する無線基地局装置。
【請求項９】
移動端末の位置情報を取得する位置情報取得手段と、
前記移動端末の位置情報の変化に基づき、無線基地局装置が電波を発射しないように運用状態を変更する運用状態変更手段と、を有する処理装置。
【請求項１０】
無線基地局装置と通信を行う移動端末の位置情報を取得し、
前記移動端末の位置情報の変化に基づき当該移動端末と通信を行う無線基地局装置が電波を発射しないように運用状態を変更する、移動通信システムの制御方法。
【国際調査報告】
2010089972.tif 000012
2010089972.tif 000013